(57)【要約】      （修正有）【課題】危険性や必要の無いときに引っ張られてブザーが鳴る誤作動が発生する恐れがない携帯型防犯ブザーを提供する。【解決手段】ブザー本体５から突出させた押ボタン６の押圧操作時にオン信号を出力するスイッチと、オン信号に応じて鳴動するブザーとがブザー本体５に設けられ、このブザー本体５が弾性変形自在でマスコットを含むキャラクタに模した袋状の携帯装飾品に収納されてなる。【選択図】図３
0003162049.tif 000002
【実用新案登録請求の範囲】
【請求項１】
ブザー本体から突出させた押ボタンの押圧操作時にオン信号を出力するスイッチと、前記オン信号に応じて鳴動するブザーとが前記ブザー本体に設けられ、このブザー本体が弾性変形自在でマスコットを含むキャラクタに模した袋状の携帯装飾品に収納されてなることを特徴とする携帯型防犯ブザー。
【請求項２】
一端にフック部が他端に掛止部が設けられた吊下具を備え、前記ブザー本体に被掛止部を形成するとともに前記携帯装飾品に挿通孔を開設し、この挿通孔に前記吊下具の掛止部を挿通して前記被掛止部に掛止することを特徴とする請求項１に記載の携帯型防犯ブザー。
【請求項３】
前記携帯装飾品の略半部を、前記キャラクタを表示する表面側とする一方、他の略半部を裏面側とし、この裏面側をネット状に形成することを特徴とする請求項１又は請求項２に記載の携帯型防犯ブザー。
【請求項４】
前記ブザー本体が、前記押ボタンの押圧操作に応じて前記ブザー音を調節するブザー駆動部を内蔵し、このブザー駆動部が前記押ボタンの長押し時間に伴って前記ブザーの音量をアップさせることを特徴とする請求項１から請求項３のいずれかに記載の携帯型防犯ブザー。
【請求項５】
前記ブザー本体が、前記押ボタンの押圧操作によりブザーを鳴動させた後、前記押ボタンの所定の押圧回数に応じて前記ブザーの鳴動を停止させることを特徴とする請求項１から請求項４のいずれかに記載の携帯型防犯ブザー。
【考案の詳細な説明】
【技術分野】
【０００１】
本考案は、携帯用の防犯ブザーに係り、より詳細には、アクセサリとして簡易に携帯し操作性を向上し得る携帯型防犯ブザーに関する。
【背景技術】
【０００２】
従来、携帯用の防犯ブザーは、スイッチ操作等により鳴動するブザー、このブザーやバッテリを内蔵した本体部、この本体部に取り付けられたストラップを備えたものが一般的である。
【０００３】
この種の携帯用防犯ブザーは、携帯していることが目立つと好ましくないので、防犯ブザーをぬいぐるみの中へ入れて携帯アクセサリに見せたタイプが提案されている（特許文献１）。  この携帯用防犯ブザーは、防犯ブザーをぬいぐるみの中へ全部、又は一部分を入れ、防犯ブザーとわからないようにして、カバンやハンドバックの外に紐でブラ下げる。この携帯型防犯ブザーは、普段はアクセサリとして使われ、危険と思ったときに目の前のアクセサリを引っ張ると、ブザーが鳴るようになっている。
【先行技術文献】
【特許文献】
【０００４】
【特許文献１】実公平７−２７９１
【考案の概要】
【考案が解決しようとする課題】
【０００５】
しかし、上記従来の携帯型防犯ブザーは、カバンやハンドバックの外に紐で吊り下げておき、危険を感じたときに引っ張ってブザーを鳴らせるので、カバン等に入れておく場合に比して動作は速いが、誤動作を生じ易いという欠点があった。
【０００６】
つまり、携帯型防犯ブザーは、ぬいぐるみを紐で吊り下げただけなので、人混みの中にいるときや障害物の間を通る際に、人や障害物に接触し易いものである。このぬいぐるみが何かに接触して引っ張られると、直ぐにブザーが鳴動するので、身の危険が迫っていないにも関わらず鳴るブザー音で周囲に迷惑をかけるという不具合があった。
【０００７】
また、鳴動したブザーを停止する手段を備えていないので、誤動作の際に直ぐにブザー音を消すことができないという問題も残されていた。
【課題を解決するための手段】
【０００８】
本考案は、前記課題を解決するためになされたもので、ブザー本体から突出させた押ボタンの押圧操作時にオン信号を出力するスイッチと、前記オン信号に応じて鳴動するブザーとが前記ブザー本体に設けられ、このブザー本体が弾性変形自在でマスコットを含むキャラクタに模した袋状の携帯装飾品に収納されてなることを特徴とする。
【０００９】
一端にフック部が他端に掛止部が設けられた吊下具を備え、前記ブザー本体に被掛止部を形成するとともに前記携帯装飾品に挿通孔を開設し、この挿通孔に前記吊下具の掛止部を挿通して前記被掛止部に掛止するのが好ましい。
前記吊下具のフック部をカバンやバッグ等に掛止すると、ブザーが収納された携帯装飾品を簡易かつ確実に吊下げられるので、必要なときに押ボタンを的確に押圧操作することができる。
【００１０】
前記携帯装飾品の略半部を、前記キャラクタを表示する表面側とする一方、他の略半部を裏面側とし、この裏面側をネット状に形成するのが好ましい。
このような構成により、携帯装飾品の表面側を身体の前方に向け、裏面側を身体に密着して携帯した場合に身体からの汗がしみこんでも、この裏面側の通気性が良いので、携帯装飾品を迅速に乾燥させることができる。
【００１１】
前記ブザー本体が、前記押ボタンの押圧操作に応じて前記ブザー音を調節するブザー駆動部を内蔵し、このブザー駆動部が前記押ボタンの長押し時間に伴って前記ブザーの音量をアップさせるのが好ましい。
前記押ボタンの押圧操作によりブザーが鳴動した後、長押し時間に応じて音量がアップするので、ユーザーの危険状況判断に従って広い範囲にブザー音を放音させることができる。
【００１２】
前記ブザー本体が、前記押ボタンの所定の押圧回数に応じて前記ブザーの鳴動を停止させることが好ましい。
携帯型防犯ブザーの使用に際して、予め押ボタンの押圧回数を任意に設定しておくと、前記押ボタンの押圧が設定回数になったとき、前記ブザーの鳴動が停止するので、ユーザーが誤って押ボタンを押した場合等に直ぐに所定回数を押すとブザーが鳴動しなくなり、誤報を防止することができる。なお、ブザーの鳴動を停止させる機能は前記ブザー駆動部に備えられていることが好ましい。
【考案の効果】
【００１３】
本考案によると、前記携帯装飾品に収納されたブザー本体から突出した押ボタンのある箇所を押すと、この携帯装飾品の弾性変形により押ボタンが押圧されてブザーが鳴動するので、ユーザーに危険が迫っている際、簡単な操作で的確にブザー音を放音させ、身の危険を周囲に知らせることができる。また、従来のように紐で吊り下げたぬいぐるみを引っ張ってブザーを鳴らせる場合に生じていた、各種の誤作動を防止することができる効果がある。
【００１４】
また、ブザー本体を収納する携帯装飾品が弾性変形自在であり、この弾性変形の程度をユーザーや使用態様に応じて最適に設定することで、殆ど誤作動が生じない携帯型防犯ブザーを提供できる利点がある。
【００１５】
また、吊下具の掛止部を携帯装飾品の挿通孔を介してブザー本体の被掛止部に掛止し、フック部をカバンやバッグ等に掛止することにより確実に保持されるので、紐等で吊り下げる場合に比して外れたり揺れ動くことも少ないことから、必要なときは確実に押ボタンを操作することができる。
【００１６】
また、携帯装飾品の表面側を身体の前方に向け、裏面側を身体に密着して携帯した場合、身体からの汗がしみこんでも裏面側の通気性が良く、携帯装飾品が迅速に乾燥するので、ユーザーの不快感を解消することができる。
【００１７】
また、ユーザーが前記押ボタンの押圧操作によりブザーを鳴動させた後、長押しするとその長押しに伴って音量がアップするので、ユーザーの危険状況判断に従って広い範囲にブザー音を放音させ、周囲に危険の発生を気づかせることができる。
【００１８】
また、ブザー本体が、前記押ボタンの所定の押圧回数に応じて前記ブザーの鳴動を停止させるので、ユーザーが予め押圧回数を設定しておくと、ユーザーが誤って押ボタンを押した場合、直ぐに所定回数を押すとブザーが鳴動しなくなるので、誤報を確実に防止することができ、常時安心して携帯することができる。
【図面の簡単な説明】
【００１９】
【図１】携帯型防犯ブザー１を示す正面図である。
【図２】携帯型防犯ブザー１を示す背面図である。
【図３】裏面被服部２ｂのファスナー４を開き、携帯装飾品２の内部にブザー本体５が収納されている様子を示す図である。
【図４】ブザー本体５及び吊下具１１の全体を示す斜視図である。
【図５】携帯型防犯ブザー１の電気的構成を示すブロック線図である。
【図６】携帯型防犯ブザー１を装着したランドセル１３を示す説明図である。
【考案を実施するための形態】
【００２０】
以下、本考案について実施例に基づき更に詳細に説明する。
図１は本考案の一実施例に係る携帯型防犯ブザーを示す正面図、図２は同携帯型防犯ブザーを示す背面図である。１は携帯型防犯ブザーであって、携帯装飾品２にブザー本体５を収納し、図６に示すように吊下具１１によりランドセル１３等に吊下げて携行するようになっている。
【００２１】
携帯装飾品２は、全体が布袋状で、図３に示す如く内部に弾性変形自在なクッション材３を詰め込み、膨らみを持たせている。この携帯装飾品２は、図１に示す略半部を表面被服部２ａとする一方、図２に示す他の略半部を裏面被服部２ｂとし、両者の外周縁２ｃを縫合して一体化している。
【００２２】
前記クッション材３は、学童がブザー１０（図５）を容易に鳴動させ得る一方、日常生活で加えられる程度の押圧力ではブザー１０が誤動作しないように弾発力を設定してある。即ち、このクッション材３は、表面被服部２ａからの押圧力を受けたとき、後述の押ボタン６を押してスイッチ７（図５）をオン動作させ得る程度に弾性変形するが、それよりも弱い押圧力では押ボタン６を押圧しない弾発力になっている。なお、このクッション材３は、ブザー本体５を収納可能に空間部３ａを設けてある。
【００２３】
本実施例において、携帯装飾品２の表面被服部２ａは、子猫の顔を模しており、立体感のある携帯装飾品２全体でキャラクタを表示している。よって、この携帯装飾品２は、特に子供が親しみを持って携帯することができる。
なお、この携帯装飾品２は、図２に示すように、外周縁２ｃの縫合部分の上部略中央のみを開けて挿通孔２ｄとしており、吊下具１１の掛止部１１ｃを挿通して被掛止部５ｂに掛止可能としている。
【００２４】
また、携帯装飾品２の裏面被服部２ｂは、ネット状に形成して通気性を良くしてある。これにより、ユーザーが身体に密着して携帯した場合、身体からの汗がしみこんでも、通気によって携帯装飾品２の乾燥が促進される。
なお、裏面被服部２ｂの下部にファスナー４を縫いつけてあり、このファスナー４のチャックを開閉操作することで、ブザー本体５を出し入れできるようにしている。
【００２５】
ブザー本体５は、図４に示す如く扁平な円筒状で、硬質のプラスチック材等により形成されている。このブザー本体５は、外周部５ａに被掛止部５ｂとして、突起を一体形成している。そして、この被掛止部５ｂには、貫通小孔５ｃを形成してあり、吊下具１１の掛止部１１ｃを掛止可能となっている。
また、このブザー本体５は、図４及び図５に示すように一方の開口部５ｄに押ボタン６を緩挿し、他方の開口にブザー１０を取り付けている。さらに、内部空間にスイッチ７、ブザー駆動部８、バッテリ９等を配設している。
【００２６】
押ボタン６は、開口部５ｄよりも略小経の円柱状で、開口部５ｄ内に進退自在に保持されている。この押ボタン６は、図５に示すスイッチ７の可動接点が下端面に接するようになっており、その下端縁に円形バネ体（図示省略）の一端が係止されている。
【００２７】
このバネ体は、他端がブザー本体５の内周面から突出する係止部に係止されており、常態では押ボタン６を定位置に保ち、スイッチ７の可動接点と固定接点とを非接触に維持する。一方、押ボタン６に押圧力が付勢されると、収縮して可動接点を固定接点に接触させる。そして、押ボタン６に押圧力が付勢されなくなると、弾発力によりスイッチ７の可動接点を固定接点から離間させて非接触に保つようになっている。
【００２８】
スイッチ７は、可動接点と固定接点とからなり、出力がブザー駆動部８に接続されている。このスイッチ７は、押ボタン６が押圧操作されると、固定接点に可動接点が接触してオン信号をブザー駆動部に出力する。
【００２９】
ブザー駆動部８は、ＩＣチップマイコンであって、タイマやメモリを備えており、オン信号に応じてブザー１０の鳴動を制御する。タイマは、オン信号の入力時点からカウントを開始し、カウントデータをブザー駆動部８に出力する。また、予め設定された時間になると、カウントアップのデータを出力する。
【００３０】
メモリは、ブザー駆動部８の動作プログラムおよび各種の指令情報を予め記録している。また、押ボタン６の押圧操作に伴うオン信号を、所定エリアに記憶する。なお、指令情報としては、オン信号が一度入力したときにブザー１０を鳴動させ続ける指令、オン信号が入力し続けたときにブザー１０鳴動時の音量を漸次アップさせる指令、オン信号が２回入力したときにブザー１０の鳴動を停止させる指令等である。なお、この指令内容は、使用状況に応じて適宜変更可能である。
【００３１】
ブザー駆動部８は、マイコンが入力ポートをチェックし、オン信号の入力内容に応じてブザー１０の鳴動動作を制御する。例えば、オン信号が一度入力すると、ブザー１０を鳴動させ続ける。また、オン信号が入力し続けると、ブザー１０鳴動時の音量を漸次アップさせる。さらに、オン信号が２回入力したときにブザー１０の鳴動を停止させる、といった制御を行う。
【００３２】
吊下具１１は、図２に示す如くフック状で、一端にストッパ１１ｂを備えたフック部１１ａが、他端には小孔を有した掛止部１１ｃが設けられている。この掛止部１１ｃは、リング１２を用いて前記ブザー本体５の被掛止部５ｂに掛止されており、このブザー本体５および携帯装飾品２を吊下げるようになっている。
【００３３】
この吊下具１１は、紐等で吊り下げる場合に比して外れたり揺れ動くことも少ないので、必要なときはユーザーが確実に押ボタン５を操作することができる。
なお、リング１２に代えて、吊下げに適した長さのチェーンにより、５ｂ及び１１ｃを互いに連結してもよい。
【００３４】
以上のように構成された携帯型防犯ブザー１は、例えば、学童のランドセル１３に吊下げて携行する。このときは、図６に示すように、表面側をランドセル１３に備え付けられた吊下げリング１４に吊下具１１のフック部１１ａを掛止する。この掛止作業は簡単なので、子供でも簡易に携帯型防犯ブザー１を吊下げることができる。
【００３５】
このように、携帯型防犯ブザー１をランドセル１３に吊下げたとき、子猫の顔を模したアクセサリにしか見えないので、ブザー１０の内蔵を他者に気付かせることなく、携帯用品として日常的に携行することができる。
【００３６】
なお、ランドセル１３に吊下げる場合に限らず、ズボンのベルト等にも吊下げことができる。携帯型防犯ブザー１を身につけた際、夏期には裏面被服部２ｂが身体に密着し、汗がしみこむことが多い。しかし、この裏面被服部２ｂをネット状にしているので、通気性が良く携帯装飾品２が迅速に乾燥する。よって、携帯型防犯ブザー１の携帯中に不快感を抱くことはない。
【００３７】
この携帯型防犯ブザー１は、常態では押ボタン６が定位置に保たれ、スイッチ７がオフになっている。この状態で携帯装飾品２に押圧力が加えられることがあっても、日常生活の上で生じる程度であればクッション材３の弾性変形により押圧力が吸収されて、押ボタン６が押圧されることなくブザー１０の誤動作が防止される。
【００３８】
ところで、子供が危険を感じたときに、押ボタン６の位置に対応する表面被服部２ａを強く押すと、クッション材３の弾性変形により押ボタン６が押圧されてスイッチ７がオン動作する。このスイッチ７からオン信号がブザー駆動部８に送出されると、このブザー駆動部８は、オン信号の入力に応じてブザー１０を鳴動させる。
【００３９】
この際、押ボタン６が一度押されてから押圧を止めても、ブザー駆動部８は、一度入力したオン信号に基づいてブザー１０を鳴動させ続ける。つまり、この押ボタン６に押圧力が付勢されなくなることで、スイッチ７の可動接点が固定接点から離間し、ブザー駆動部８にオン信号が入力しなくなっても、ブザー１０の鳴動を止めることはない。よって、子供が何らかの理由で押ボタン６を押し続けられなくても、ブザー１０が鳴動し続けるので、危険を周囲に知らせ続けることができる。
【００４０】
また、ブザー駆動部８は、オン信号の入力を常時チェックし、入力内容に応じてブザー１０の鳴動を制御する。例えば、子供が危険を周囲に広く知らせたいとき、押ボタン６を長押しすると、ブザー駆動部８はオン信号の継続入力に応じて、鳴動中のブザー１０の音量を漸次アップさせる。そして、ブザー駆動部８は、ブザー１０が最大音量になった時点でこの音量を維持し、バッテリ９が消耗するまで継続する。
【００４１】
なお、押ボタン６が一度押されてから離され、再度押されるとブザー駆動部８はブザー１０の鳴動を停止させる。即ち、押ボタン６が押圧されなくなると、バネ体の付勢力により押ボタン６が定位置に復帰するので、スイッチ７がオフとなる。ブザー駆動部８は、オン信号が入力しなくなったとき、前述のようにブザー１０の鳴動を止めないが、押ボタン６が２度押されてオン信号が２回入力すると、ブザー１０の鳴動を停止させる。
【００４２】
よって、子供が危険ではなかったと判断したり、障害物に接触する等で携帯装飾品２に強い押圧力が加えられ、押ボタン６が押されてブザー１０が鳴動した場合、再び押ボタン６を押すと、直ぐにブザー１０の鳴動を停止させることができる。
【００４３】
また、押ボタン６の長押し後に一旦離してから再度押すと、ブザー駆動部８には押ボタン６の２度押しに伴ってオン信号が２回入力するので、ブザー１０の鳴動を停止させる。よって、危険が去ったり、何らかの理由でブザー音が不要になると、その時点でブザー１０の鳴動が止まるので、ブザー音で周囲に不快感を与えることもなくなる。
【００４４】
なお、この携帯型防犯ブザー１は、ランドセルに吊下げる場合について説明したが、カバンやバッグその他の携帯品にも幅広く吊下げて携行することができる。また、携帯装飾品２を子猫の顔に模して表示したが、多種多様なマスコットに模して携帯装飾品を形成し、キャラクタを表示するようにしてもよい。
【符号の説明】
【００４５】
１    携帯型防犯ブザー
２    携帯装飾品
５    ブザー本体
６    押ボタン
７    スイッチ
１０  ブザー
【図１】
0003162049.tif 000003
【図２】
0003162049.tif 000004
【図３】
0003162049.tif 000005
【図４】
0003162049.tif 000006
【図５】
0003162049.tif 000007
【図６】
0003162049.tif 000008